(57)【要約】      （修正有）【課題】獣類の手足が踏む踏み板の下穴を深く掘らずに確実に獣類の手足を捕捉する罠の提供。【解決手段】固定筒体４と、突出筒体１２との間に弾性体１１を入れ、ワイヤ止め１４を取り付けたワイヤ１を固定筒体の蓋の穴から突出筒体の蓋３の穴に通して引き出してその先端に縛り金具２を取り付ける。固定筒体内に付勢力に抗して押し込んだ突出筒体を、突出筒体に取り付けた受け金具と固定筒体に取り付けた掛け金具とで係止する。掛け金具にトリガー２５を装着し、それに連動するようにワイヤ撥ね上げ線１６付き踏み板１５を置き、その上にワイヤ１をループ状にして土中に縦に仕掛ける。獣が踏み板１５を踏むことで固定筒体内の弾性体１１と、ワイヤ撥ね上げ線１６基部に装着した弾性体１７が同時に解放し、ワイヤ撥ね上げ線１６によりワイヤのループ状部が垂直に上昇すると共に付勢力で飛び出た突出筒体がワイヤのループ状部を縮径して獣類の手足を捕捉する。【選択図】図１
2006055158.tif 000002
【特許請求の範囲】
【請求項１】
中心に穴を開けた蓋１３で下部を閉じた固定筒体４と中心に穴を開けた蓋３で上部を閉じた突出筒体１２との間に弾性体１１を入れワイヤ止め１４を取り付けたワイヤ１を固定筒体４の蓋の穴１３から突出筒体１２の蓋の穴３に通し突出筒体１２側のワイヤの先端に縛り金具２を取り付け固定筒体４内に弾性体１１をその付勢力に抗して突出筒体１２と共に縮め押し込み突出筒体１２に取り付けた受け金具と固定筒体４に取り付けた掛け金具とで両筒体を一時静止して掛け金具に重量調整機能付きトリガー２５を装着しそれに連動するようにワイヤ撥ね上げ線１６を弾性体１７の付勢力に抗して踏み板に止めてあるワイヤ撥ね上げ装置付き踏み板１５を置きその上に縛り金具２部のワイヤ１をループ状に静止させ土中に縦に仕掛ける獣捕獲罠において獣の手足がワイヤ撥ね上げ装置付き踏み板１５を踏むことで罠本体とワイヤ撥ね上げ装置付き踏み板１５の両弾性体が同時に解放する特徴を持つ獣捕獲罠。
【発明の詳細な説明】
【技術分野】
【０００１】
本発明は、ワイヤを利用して獣類の手足を捕捉する獣捕獲罠の改良に関する。
【背景技術】
【０００２】
ワイヤの特性である捩れを防ぐためループ状のワイヤに取り付けた縛り金具を筒体に固定したもの、また獣類の重さによって捕獲を制限できる、重量調整ネジを本体とは別に取り付けた、独立重量調整式のものがある。
【特許文献１】特開２００２−２６２７５２号公報
【特許文献２】特開２００２−１４２６４９号公報
【発明の開示】
【発明が解決しようとする課題】
【０００３】
弾性体の付勢力により地面に対して垂直に飛び出したループ状のワイヤを縮径して獣の手足を捕捉する獣捕獲罠において一番の欠点は弾性体の付勢力が開放された瞬間ループ状のワイヤがその上に土を被せ覆っていることと、慣性の働きにより付勢力側のワイヤがその反対側のワイヤより早く上がる。それは付勢力が強ければ強いほど、またループ状ワイヤの径が大きければ大きいほどワイヤは下方に撓りながら縮径するため獣の手足が完全に地面の下にないと捕捉できない場合がある。
【課題を解決するための手段】
【０００４】
中心に穴を開けた蓋で下部を閉じた固定筒体と中心に穴を開けた蓋で上部を閉じた突出筒体との間に弾性体を入れワイヤ止めを取り付けたワイヤを固定筒体の蓋の穴から突出筒体の蓋の穴に通し突出筒体側のワイヤの先端に縛り金具を取り付け固定筒体内に弾性体をその付勢力に抗して突出筒体と共に縮め押し込み突出筒体に取り付けた受け金具と固定筒体に取り付けた掛け金具とで両筒体を一時静止して掛け金具に重量調整機能付きトリガーを装着しそれに連動するようにワイヤ撥ね上げ線を弾性体の付勢力に抗して踏み板に止めてあるワイヤ撥ね上げ装置付き踏み板を置きその上に縛り金具部のワイヤをループ状に静止させ土中に縦に仕掛ける獣捕獲罠において獣の手足がワイヤ撥ね上げ装置付き踏み板を踏むことで罠本体とワイヤ撥ね上げ装置付き踏み板の両弾性体が同時に解放してワイヤ撥ね上げ線によりワイヤのループ状部が垂直に上昇し罠本体の弾性体の付勢力で飛び出た突出筒体がワイヤのループ状部を縮径して獣類の手足を確実に捕捉する。
【発明の効果】
【０００５】
重量調整機能付きトリガーに取り付けたアングルを前後することで獣類の捕獲制限ができる。またワイヤ撥ね上げ装置付き踏み板に取り付けたワイヤ撥ね上げ線の下にループ状ワイヤをセットすることでワイヤの特性である捩れを殺し容易に静止でき罠本体が作動した瞬間ワイヤ撥ね上げ装置も同時に作動しワイヤ撥ね上げ線によりループ状ワイヤ全体が垂直に撥ね上がり罠本体の弾性体の付勢力で飛び出た突出筒体がワイヤのループ状部を縮径するので確実に獣類の手足を捕捉できる。しかも重量受体部であるワイヤ撥ね上げ装置付き踏み板を設置する穴を深く掘る必要がないため周囲が荒れず獣類に罠の設置を悟られにくく捕獲率が向上しまた作業が大変楽である。
【発明を実施するための最良の形態】
【０００６】
中心に穴を開けた蓋１３で下部を閉じた固定筒体４と中心に穴を開けた蓋３で上部を閉じた突出筒体１２との間に弾性体１１を入れワイヤ止め１４を取り付けたワイヤ１を固定筒体４の蓋１３の穴から突出筒体１２の蓋３の穴に通し突出筒体１２側のワイヤ１の先端に縛り金具２を取り付け固定筒体４内に弾性体１１をその付勢力に抗して突出筒体１２と共に縮め押し込み突出筒体に取り付けた受け金具と固定筒体に取り付けた掛け金具とで両筒体を一時静止して重量調整機能付きトリガー２５を装着しそれに連動するようにワイヤ撥ね上げ装置付き踏み板１５を置きその上に縛り金具２部のワイヤをループ状に静止して土中に縦に仕掛ける獣捕獲罠において突出筒体１２にサドルバンド５でスプリングワッシャ６及びボルト８とナット９をもって回動可能に固定した六角ナット７を受け金具とし固定筒体４に上部がカギ型３１に形成されたカギ型T形鋼１０の下部に開けたボルト穴３０を支点にサドルバンド５でスプリングワッシャ６及びボルト８とナット９をもって回動可能に固定して掛け金具とし両筒体を一時静止させてカギ型T形鋼１０に施したトリガー取り付け穴２８に重量調整機能付きトリガー２５をそれに固定してあるトリガー取り付けピン２７で装着しトリガー安定板２９で静止させ重量調整機能付きトリガー２５に取り付けたアングル２１に連動するようワイヤ撥ね上げ線１６をワイヤ撥ね上げ線固定金具２０で踏み板に回動可能に固定し弾性体１７を取り付け反対側にその付勢力に抗してワイヤ撥ね上げ線静止金具１８で一時静止したワイヤ撥ね上げ装置付き踏み板１５を置きその上に縛り金具２部のワイヤ１をループ状に静止して土中に埋設し獣類の手足がワイヤ撥ね上げ装置付き踏み板１５を踏むことで罠本体とワイヤ撥ね上げ装置付き踏み板１５の両弾性体が同時に解放しワイヤ撥ね上げ線１６によりワイヤ１のループ状部が垂直に上昇し罠本体の弾性体１１の付勢力で飛び出た突出筒体１２がワイヤ１のループ状部を縮径して獣類の手足を確実に捕捉する。
【実施例１】
【０００７】
図１のAは、本考案の実施の形態に係る獣捕獲罠全体の構成の側面図であって罠本体にトリガー部と踏み板部をセットしてワイヤの先端部をループ状に踏み板の上に静止させた状態で土中に埋設する。
【実施例２】
【０００８】
図１のBは、罠が作動した瞬間の図であってワイヤ撥ね上げ線１６がループ状ワイヤを垂直に撥ね上げ、突出筒体１２がワイヤのループ部を縮径するので獣類の手足を確実に捕捉することが可能である。
【実施例３】
【０００９】
図２のAは罠本体の構成図であって固定筒体４と突出筒体１２との間に弾性体１１を入れ両端を中心に穴を開けた蓋３と１３で閉じワイヤ止め１４を取り付けたワイヤ１を固定筒体４側から突出筒体１２側に通しワイヤ１先端に縛り金具２を取り付け固定筒体４内に弾性体１１を突出筒体１２と共に縮め押し込め突出筒体１２にサドルバンド５でスプリングワッシャ６及びボルト８とナット９をもって回動可能に固定した六角ナット７を受け金具とし固定筒体４に上部がカギ型３１で背面にトリガー取り付け穴２８とトリガー安定板２９を施し下部に開けたボルト穴３０を支点にサドルバンド５でスプリングワッシャ６及びボルト８とナット９をもって回動可能に固定したカギ型T形鋼１０を掛け金具として両筒体を一時静止固定し安全装置３３を突出筒体側のスプリングワッシャ６に掛けて安全を図り解除するときは安全装置解除棒３４を使用する。また無線器を使用する時は無線器接続金具３５を利用できる。
【実施例４】
【００１０】
図２のBは重量調整機能付きトリガーの構成図であってL金具の一面に外方向にトリガー取り付けピン２８を固定し、もう一面に長楕円形の溝２６を開け、それに皿ネジ穴２２を開けたアングル２１を皿ネジ２３とフランジナット２４で固定する。その時アングル２１を前後することで捕獲する獣類を制限することが可能である。
【実施例５】
【００１１】
図２のCはワイヤ撥ね上げ装置付き踏み板の構成図であって踏み板の一方の端にワイヤ撥ね上げ線１６をワイヤ撥ね上げ線固定金具２０で回動可能に固定し弾性体１７を取り付けてそれを軸に弾性体１７の付勢力に抗してワイヤ撥ね上げ線１６を反対側の端中央に取り付けたワイヤ撥ね上げ線静止金具止め１９で回動可能に固定したワイヤ撥ね上げ線静止金具１８で踏み板の上に静止させ罠本体にセットした重量調整機能付きトリガーのアングルと連設して置き罠が作動すると同時にアングルの上部がワイヤ撥ね上げ線静止金具１８を押し外し弾性体１７の付勢力が解放されワイヤ撥ね上げ線１６がループ状ワイヤを垂直に撥ね上げる。また設置中は安全器３２をワイヤ撥ね上げ線１６に掛けて安全を図る。
【図面の簡単な説明】
【００１２】
【図１】Aは本考案の実施の形態に係る獣捕獲罠全体の構成の側面図である。（実施例１）    Bは罠が作動した瞬間の図である。（実施例２）
【図２】Aは罠本体の構成図である。（実施例３）    Bは重量調整機能付きトリガーの構成図である。（実施例４）    Cはワイヤ撥ね上げ装置付き踏み板の構成図である。（実施例５）
【符号の説明】
【００１３】
１    ワイヤ
２    縛り金具
３    蓋
４    固定筒体
５    サドルバンド
６    スプリングワッシャ
７    六角ナット
８    ボルト
９    ナット
１０    カギ型T形鋼
１１    弾性体
１２    突出筒体
１３    蓋
１４    ワイヤ止め
１５    ワイヤ撥ね上げ装置付き踏み板
１６    ワイヤ撥ね上げ線
１７    弾性体
１８    ワイヤ撥ね上げ線静止金具
１９    ワイヤ撥ね上げ線静止金具止め
２０    ワイヤ撥ね上げ線固定金具
２１    アングル
２２    皿ネジ穴
２３    皿ネジ
２４    フランジナット
２５    トリガー
２６    溝
２７    トリガー取り付けピン
２８    トリガー取り付け穴
２９    トリガー安定板
３０    ボルト穴
３１    カギ型
３２    安全器
３３    安全装置
３４    安全装置解除棒
３５    無線器接続金具
【図１】
2006055158.tif 000003
【図２】
2006055158.tif 000004